(57)【要約】【課題】行灯や提灯の中で蝋燭が揺らめいて点灯しているような光を放つＬＥＤ点灯装置を提供する。【解決手段】赤、緑、青、アンバーの光を放つ４個のＬＥＤを四角状に表面配置した配線基板と、その中心から所定距離だけ基板から離して配置した拡散体と、各ＬＥＤを独立に点灯させる制御回路とで構成する。制御回路は発光輝度の上昇期とそれに続く下降期とを１周期として上昇期末の輝度Ｌmaxと下降期末の輝度Ｌminとを予め定めた平均輝度Ｌｍを中心とする所定の輝度幅Δｗ以内の値に乱数を使用して決定する。上昇期、下降期の各時間Ｔｕ、Ｔｄは共に予め定めた平均時間Ｔｍを中心とする所定の時間幅Δｔ以内の時間に乱数を使用して決定する。上昇開始から上昇期末輝度Ｌmaxまで、上昇期末輝度Ｌmaxから下降期末輝度Ｌminまでの発光輝度をパルス幅制御で直線的に制御する。【選択図】図２
0003149477.tif 000002
【実用新案登録請求の範囲】
【請求項１】
蝋燭の代わりに行灯、提灯等の中で点灯させて使用するＬＥＤ点灯装置であって、
赤、緑、青、アンバーの色の光をそれぞれ放つ４個のＬＥＤを四角状に表面配置した配線基板と、該四角状配置の中心から所定距離だけ基板から離して配置されて前記各ＬＥＤの放つ光を前記行灯、提灯等の内側に拡散させる拡散体と、前記４個のＬＥＤを独立に点灯制御する制御回路とを備えて構成され、
前記制御回路は発光輝度の上昇期とそれに続く下降期とを１周期として各ＬＥＤについて、前記上昇期の期末発光輝度である上昇期末輝度Ｌmaxと下降期の期末発光輝度である下降期末輝度Ｌminとを予め定めた平均輝度Ｌｍを中心とする所定の輝度幅Δｗ以内の値に乱数を使用してそれぞれランダムに決定し、前記上昇期の上昇時間Ｔｕと下降期の下降時間Ｔｄとを予め定めた平均時間Ｔｍを中心とする所定の時間幅Δｔ以内の時間に乱数を使用してそれぞれランダムに決定した上、各ＬＥＤの発光輝度をＯＮ／ＯＦＦのパルス幅制御で変化させることにより上昇開始から前記上昇期末輝度Ｌmaxに上昇するまで、及び該上昇期末輝度Ｌmaxから前記下降期末輝度Ｌminに下降するまでの発光輝度を直線的に変化させる制御を毎周期実行するように構成してあることを特徴とするＬＥＤ点灯装置。
【請求項２】
請求項１に記載のＬＥＤ点灯装置において、前記制御回路は、前記下降期末輝度Ｌminについて、前記決定した上昇期末輝度Ｌmaxと上昇開始時の発光輝度Ｌuiとの差である輝度上昇量ΔＬｕ、予め定めた１以下の正の数値Ｐ、（−５０〜５０)の範囲に入る乱数Ｒ、前記平均輝度Ｌｍ、下降開始時の発光輝度Ｌdiを用いて計算した発光輝度（Ｌdi−（ ΔＬｕ＋ Ｐ・Ｌm・Ｒ／５０) )と、前記平均輝度Ｌｍから前記輝度幅Δｗの１／２を引いた値である許容最低輝度ＡＬminとの何れか高い方の値でもって前記下降期末輝度Ｌminを置き換えるように構成してあることを特徴とするＬＥＤ点灯装置。
【請求項３】
請求項１又は２に記載のＬＥＤ点灯装置において、前記制御回路は、前記輝度上昇量ΔＬｕが予め定めた輝度最小上昇量ΔＬumin以下であった場合には、上昇開始時輝度Ｌuiに該輝度最小上昇量ΔＬminを加えた値（Ｌui＋ΔＬumin)と、前記平均輝度Ｌｍに前記輝度幅Δｗの１／２を加えた値である許容最高輝度ＡＬmaxとの何れか低い方の値でもって前記上昇期末輝度Ｌmaxを置き換え、
前記下降開始時輝度Ｌdiから前記下降期末輝度Ｌminを引いた値である輝度下降量ΔＬｄが予め定めた輝度最小下降量ΔＬdmin以下であった場合には、下降開始時輝度Ｌdiから輝度最小下降量ΔＬdminを引いた値（Ｌdi−ΔＬdmin)と、前記平均輝度Ｌｍから前記輝度幅Δｗの１／２を引いた値である許容最低輝度ＡＬminとの何れか高い方の値でもって前記下降期末輝度Ｌminを置き換えるように構成してあることを特徴とするＬＥＤ点灯装置。
【請求項４】
請求項１乃至３の何れかに記載のＬＥＤ点灯装置において、前記制御回路は、前記上昇時間Ｔｕについては前記平均時間Ｔｍから前記時間幅Δｔの１／２を引いた値である許容最短時間ＡＴmin、上昇期の前記輝度上昇量ΔＬｕ、前記輝度幅Δｗを用いて計算した時間、
ＡＴmin＋Δｔ・（Δｗ−ΔＬｕ) ／Δｗ
でもって前記上昇時間Ｔｕを置き換え、
前記下降時間Ｔｄについては、前記式中の輝度上昇量ΔＬｕを前記輝度下降量ΔＬｄに置き換えて計算した時間、
ＡＴmin＋Δｔ・（Δｗ−ΔＬｄ) ／Δｗ
でもって前記下降時間Ｔｄを置き換えるように構成してあることを特徴とするＬＥＤ点灯装置。
【請求項５】
請求項１乃至３の何れかに記載のＬＥＤ点灯装置において、前記制御回路は、前記上昇時間Ｔｕについては前記平均時間Ｔｍから前記時間幅Δｔの１／２を引いた値である許容最短時間ＡＴmin、（０〜１００)の範囲に入る乱数Ｒ、上昇期の前記輝度上昇量ΔＬｕ、前記輝度幅Δｗを用いて計算した時間、
ＡＴmin＋１／２・Δｔ・（Ｒ／１００＋（Δｗ−ΔＬｕ) ／Δｗ）
でもって前記上昇時間Ｔｕを置き換え、
前記下降時間Ｔｄについては、前記式中の輝度上昇量ΔＬｕを前記輝度下降量ΔＬｄに置き換えて計算した時間、
ＡＴmin＋１／２・Δｔ・（Ｒ／１００＋（Δｗ−ΔＬｄ) ／Δｗ）
でもって前記下降時間Ｔｄを置き換えるように構成してあることを特徴とするＬＥＤ点灯装置。
【請求項６】
請求項１乃至５の何れかに記載のＬＥＤ点灯装置において、前記赤色、緑色、青色の光を放つ３個のＬＥＤについての前記平均輝度Ｌｍを略７０：５０：２０の比率に設定してその混合光が略黄色になるようにし、前記アンバー色の光を放つＬＥＤについての前記平均輝度Ｌｍは前記混合光の発光輝度に略等しい値に設定し、
且つ、前記赤色、緑色、青色の光を放つ３個のＬＥＤについての前記平均時間Ｔｍは等しい値に設定し、前記アンバー色の光を放つＬＥＤについての前記平均時間Ｔｍは他のＬＥＤの前記平均時間Ｔｍの略１／２の値に設定してあることを特徴とするＬＥＤ点灯装置。
【請求項７】
請求項１乃至６の何れかに記載のＬＥＤ点灯装置において、前記拡散体は半透明又は光屈折率が均等でないアクリル又はガラスの円柱体で構成してあることを特徴とするＬＥＤ点灯装置。
【請求項８】
請求項１乃至６の何れかに記載のＬＥＤ点灯装置において、前記拡散体は半透明又は光屈折率が均等でないアクリル又はガラスの球体で構成してあることを特徴とするＬＥＤ点灯装置。
【考案の詳細な説明】
【技術分野】
【０００１】
本考案は、蝋燭の代わりに行灯、提灯、蝋燭の炎形状ガラス管等の中で点灯させて使用するＬＥＤ点灯装置に関する。
【背景技術】
【０００２】
蝋燭の代わりに行灯や提灯の中に取り付けて蝋燭が揺らいでいるように点灯させる電子キャンドル、電子ろうそく、電子炎灯等と呼ばれる電気式点灯装置が各種提案されている。これらの光源としてはフィラメント電球、放電管等も用いられるが最近はＬＥＤを用いたものが主流になっている。
【０００３】
ＬＥＤを用いたものでは複数のＬＥＤの発光強度をマイクロコンピュータを使用して制御し、蝋燭の揺らぎに似た照明を演出する。例えば、特許文献１には異なる色を発光する複数の発光素子からなる複数の発光源とそれら発光源に対応して分割されて光を拡散させるレセプタクルとからなり、同一発光源内の複数の発光素子から発光される色の発光量の比率を一定に維持しつつ各発光源の点灯期間を制御することで色相を変えずに光の揺らぎを実現する電子キャンドルが開示されている。しかし、この点灯装置の場合、光は揺らいで移動するものの色相が一定している不自然さが残る問題がある。
【０００４】
また、特許文献２にも複数の発光体で炎のような揺らいだ光を放つ揺らぎ点灯電飾器が開示されている。この電飾器の場合はプログラムによりランダムに発生させたオフセット時間を用いて単位時間ごとにその間における発光体の点灯時間と消灯時間をランダムに増加、減少させている。この方式は、単位時間を長くした場合には単位時間内における１００％発光と０％発光によるちらつきが目に感じられて不自然になる。反対に単位時間を短くした場合には、乱数を使用してランダムに発生させているオフセット時間の平均値が一定の値に収束する。この場合、単位時間が短くてＯＮ／ＯＦＦの周期が短いため目には炎が揺らいでいるようには見えなくなる問題がある。
【先行技術文献】
【特許文献】
【０００５】
【特許文献１】特開２００５−３５３４１５号公報
【特許文献２】特開２００５−２５９６６９号公報
【考案の概要】
【考案が解決しようとする課題】
【０００６】
本考案は、従来技術のこうした問題点を解決するためになされたもので、その課題は、蝋燭の代わりに行灯や提灯の中で点灯させて使用するＬＥＤ点灯装置であって、外部から見るとあたかも蝋燭がそれらの中で燃えているかのように目に感じさせることのできるＬＥＤ点灯装置を提供することにある。
【課題を解決するための手段】
【０００７】
前記課題を解決するための請求項１に記載の考案は、蝋燭の代わりに行灯、提灯等の中で点灯させて使用するＬＥＤ点灯装置であって、赤、緑、青、アンバーの色の光をそれぞれ放つ４個のＬＥＤを四角状に表面配置した配線基板と、該四角状配置の中心から所定距離だけ基板から離して配置されて各ＬＥＤの放つ光を行灯、提灯等の内側に拡散させる拡散体と、４個のＬＥＤを独立に点灯制御する制御回路とを備えて構成され、制御回路は発光輝度の上昇期とそれに続く下降期とを１周期として各ＬＥＤについて、上昇期の期末発光輝度である上昇期末輝度Ｌmaxと下降期の期末発光輝度である下降期末輝度Ｌminとを予め定めた平均輝度Ｌｍを中心とする所定の輝度幅Δｗ以内の値に乱数を使用してそれぞれランダムに決定し、上昇期の上昇時間Ｔｕと下降期の下降時間Ｔｄとを予め定めた平均時間Ｔｍを中心とする所定の時間幅Δｔ以内の時間に乱数を使用してそれぞれランダムに決定した上、各ＬＥＤの発光輝度をＯＮ／ＯＦＦのパルス幅制御で変化させることにより上昇開始から上昇期末輝度Ｌmaxに上昇するまで、及び上昇期末輝度Ｌmaxから下降期末輝度Ｌminに下降するまでの発光輝度を直線的に変化させる制御を毎周期実行するように構成してあることを特徴とするＬＥＤ点灯装置である。
【０００８】
本物の蝋燭の炎の光は、略黄色とアンバー色との間で色相が変化する。この略黄色とアンバー色との間で変化する色相を赤色、緑色、青色を発光する３個のＬＥＤの光を混合して作りだし、且つその発光強度も変化させることは容易ではない。理論的には可能でも実現するには複雑な計算を必要とする。本構成では赤色、緑色、青色を発する３個のＬＥＤに加えてアンバー色を発光する４個目のＬＥＤを採用している。そして３個のＬＥＤによる混合色を略黄色にさせ、その混合された略黄色と４個目のＬＥＤが放つアンバー色とを混合することにより略黄色とアンバー色との間の色相を持つ光を作りだしている。この方法の場合は、３個のＬＥＤには黄色を中心とする狭い範囲で色相が変化する光を発光させればよい。このため３個のＬＥＤの発光輝度は、平均輝度Ｌｍを中心とする狭い範囲で独立してランダムに変化させるという簡単な計算で決定することができる。また、上昇期末輝度Ｌmax、下降期末輝度Ｌminの値を毎周期ランダムに決定すると同時に上昇時間Ｔｕ、下降時間Ｔｄも毎周期ランダムに決定する。こうした制御の結果、各ＬＥＤの明暗は周期も振幅も一致しない変化を呈する。そのように変化する４色の光の合成の結果として色相と明暗周期の異なる光が作り出され、外部から見ると実際の蝋燭が揺らめいて点灯しているような照明が得られる。
【０００９】
また、請求項２に記載の考案は、請求項１に記載のＬＥＤ点灯装置において、制御回路は、下降期末輝度Ｌminについて、決定した上昇期末輝度Ｌmaxと上昇開始時の発光輝度Ｌuiとの差である輝度上昇量ΔＬｕ、予め定めた１以下の正の数値Ｐ、（−５０〜５０)の範囲に入る乱数Ｒ、平均輝度Ｌｍ、下降開始時の発光輝度Ｌdiを用いて計算した発光輝度（Ｌdi−（ ΔＬｕ＋ Ｐ・Ｌm・Ｒ／５０) )と、平均輝度Ｌｍから輝度幅Δｗの１／２を引いた値である許容最低輝度ＡＬminとの何れか高い方の値でもって下降期末輝度Ｌminを置き換えるように構成してあることを特徴とするＬＥＤ点灯装置である。
【００１０】
本構成では下降期の輝度下降量ΔＬｄを直前の上昇期における輝度上昇量ΔＬｕを中心とする所定幅内の値にランダムに決定する。これにより明るさが急激に低下したり、急上昇した輝度があまり低下せずに継続したりするのが防止され、蝋燭の自然な明暗変化に近い照明が得られる。
【００１１】
また、請求項３に記載の考案は、請求項１又は２に記載のＬＥＤ点灯装置において、制御回路は、算出した輝度上昇量ΔＬｕが予め定めた輝度最小上昇量ΔＬumin以下であった場合には、上昇開始時輝度Ｌuiに該輝度最小上昇量ΔＬminを加えた値（Ｌui＋ΔＬumin)と、平均輝度Ｌｍに輝度幅Δｗの１／２を加えた値である許容最高輝度ＡＬmaxとの何れか低い方の値でもって上昇期末輝度Ｌmaxを置き換え、下降開始時輝度Ｌdiから下降期末輝度Ｌminを引いた値である輝度下降量ΔＬｄが予め定めた輝度最小下降量ΔＬdmin以下であった場合には、下降開始時輝度Ｌdiから輝度最小下降量ΔＬdminを引いた値（Ｌdi−ΔＬdmin)と、平均輝度Ｌｍから輝度幅Δｗの１／２を引いた値である許容最低輝度ＡＬminとの何れか高い方の値でもって下降期末輝度Ｌminを置き換えるように構成してあることを特徴とするＬＥＤ点灯装置である。
【００１２】
本構成では上昇期の輝度上昇量ΔＬｕ、下降期の輝度下降量ΔＬｄの値が所定値より小さかった場合には、その所定値だけは上昇、下降させて発光輝度を変化させる。従って、同じ輝度が継続することが防止され、蝋燭の自然な明暗変化に近い照明が得られる。
【００１３】
また、請求項４に記載の考案は、請求項１乃至３の何れかに記載のＬＥＤ点灯装置において、制御回路は、上昇時間Ｔｕについては平均時間Ｔｍから時間幅Δｔの１／２を引いた値である許容最短時間ＡＴmin、上昇期の輝度上昇量ΔＬｕ、輝度幅Δｗを用いて計算した時間である（ＡＴmin＋Δｔ・（Δｗ−ΔＬｕ) ／Δｗ)でもって上昇時間Ｔｕを置き換え、下降時間Ｔｄについては、該式中の輝度上昇量ΔＬｕを輝度下降量ΔＬｄに置き換えて計算した時間である（ＡＴmin＋Δｔ・（Δｗ−ΔＬｄ) ／Δｗ)でもって下降時間Ｔｄを置き換えるように構成してあることを特徴とするＬＥＤ点灯装置である。
【００１４】
本構成では上昇期の上昇時間Ｔｕを直前に計算した上昇期の輝度上昇量ΔＬｕの値を考慮して決定し、下降期の下降時間Ｔｄも直前に計算した下降期の輝度下降量ΔＬｄの値を考慮して決定する。そして、輝度上昇量ΔＬｕ、輝度下降量ΔＬｄの値が大きい程、即ち、輝度変化が大きい場合程、上昇時間Ｔｕ、下降時間Ｔｄを短くさせる。これにより明暗変化が短調になるのが防止されると同時にある程度は規則性も有することになり、実際の蝋燭の明暗変化に近づけることができる。
【００１５】
また、請求項５に記載の考案は、請求項１乃至３の何れかに記載のＬＥＤ点灯装置において、制御回路は、上昇時間Ｔｕについては平均時間Ｔｍから時間幅Δｔの１／２を引いた値である許容最短時間ＡＴmin、（０〜１００)の範囲に入る乱数Ｒ、上昇期の輝度上昇量ΔＬｕ、輝度幅Δｗを用いて計算した時間である（ＡＴmin＋１／２・Δｔ・（Ｒ／１００＋（Δｗ−ΔＬｕ) ／Δｗ）)でもって上昇時間Ｔｕを置き換え、下降時間Ｔｄについては、該式中の輝度上昇量ΔＬｕを輝度下降量ΔＬｄに置き換えて計算した時間である（ＡＴmin＋１／２・Δｔ・（Ｒ／１００＋（Δｗ−ΔＬｄ) ／Δｗ）)でもって前記下降時間Ｔｄを置き換えるように構成してあることを特徴とするＬＥＤ点灯装置である。
【００１６】
本構成では輝度上昇量ΔＬｕ、輝度下降量ΔＬｄの値により上昇期の上昇時間Ｔｕ、下降期の下降時間Ｔｄに変化を与えることに加え、乱数による変化分も更に加算して上昇時間Ｔｕ、下降時間Ｔｄの値に変化を与える。このようなランダムな要素が追加されることにより明暗変化が短調になることを防止され、実際の蝋燭の明暗変化に近い照明が得られる。
【００１７】
また、請求項６に記載の考案は、請求項１乃至５の何れかに記載のＬＥＤ点灯装置において、赤色、緑色、青色の光を放つ３個のＬＥＤについての平均輝度Ｌｍを略７０：５０：２０の比率に設定してその混合光が略黄色になるようにし、アンバー色の光を放つＬＥＤについての平均輝度Ｌｍはその混合光の発光輝度に略等しい値に設定し、且つ、赤色、緑色、青色の光を放つ３個のＬＥＤについての平均時間Ｔｍは等しい値に設定し、アンバー色の光を放つＬＥＤについての平均時間Ｔｍは他のＬＥＤの平均時間Ｔｍの略１／２の値に設定してあることを特徴とするＬＥＤ点灯装置である。
【００１８】
このような構成とすれば赤色、緑色、青色の３個のＬＥＤによる混合色を略黄色にさせることができ、その略黄色と４個目のＬＥＤが発するアンバー色とを混合することにより略黄色とアンバー色との間の色相を持つ光を作りだすことができる。この構成の場合、３個のＬＥＤには黄色を中心とする狭い範囲の色相の光を発光させればよいので、そのための３個のＬＥＤの発光輝度は、平均輝度Ｌｍを中心とする狭い範囲で独立してランダムに変化させるという簡単な計算で決定することができる。３個のＬＥＤによる混合色の明暗変化の平均周期とアンバー色の明暗変化の平均周期とを異ならせ、アンバー色の明暗変化の平均周期を混合色の明暗変化の平均周期の約１／２に設定しているので、アンバー色が混合色に比べて激しく変化する。これにより４色の混合色は激しい明暗とゆっくりした明暗が混じり合い、且つ、色相も変化する色となる。その結果として実際の蝋燭が揺らめいて点灯しているような照明が得られる。
【００１９】
また、請求項７に記載の考案は、請求項１乃至６の何れかに記載のＬＥＤ点灯装置において、拡散体は半透明又は光屈折率が均等でないアクリル又はガラスの円柱体で構成してあることを特徴とするＬＥＤ点灯装置である。
【００２０】
このような構成の装置を行灯や提灯の中で点灯させれば、実際の蝋燭が揺らめいて点灯しているような照明を得ることができる。
【００２１】
また、請求項８に記載の考案は、請求項１乃至６の何れかに記載のＬＥＤ点灯装置において、拡散体は半透明又は光屈折率が均等でないアクリル又はガラスの球体で構成してあることを特徴とするＬＥＤ点灯装置である。
【００２２】
このような構成の装置を行灯や提灯の中で点灯させれば、実際の蝋燭が揺らめいて点灯しているような照明を得ることができる。
【図面の簡単な説明】
【００２３】
【図１】本考案に係るＬＥＤ点灯装置の使用状態の一例を示す一部破断図である。
【図２】ＬＥＤ点灯装置の構造を示す斜視図である。
【図３】４個のＬＥＤを搭載したＩＣを取り付けた配線基板の外形図である。
【図４】拡散体を球形にしたＬＥＤ点灯装置の構造を示す斜視図である。
【図５】４個のＬＥＤを駆動する駆動回路の構成図である。
【図６】４個のＬＥＤの発光輝度の時間変化の一例である。
【図７】説明で使用する波形各部の名称の定義と意味の説明図である。
【図８】各ＬＥＤの制御ロジックのゼネラルフローである。
【図９】図８のステップＳ３の上昇期末輝度Ｌmaxを計算する詳細フローである。
【図１０】図８のステップＳ６の下降期末輝度Ｌminを計算する詳細フローである。
【図１１】図８のステップＳ４の上昇時間Ｔｕを計算する詳細フローである。
【図１２】図８のステップＳ７の下降時間Ｔｄを計算する詳細フローである。
【図１３】図８のステップＳ６の下降期末輝度Ｌminを計算する変形フローである。
【図１４】上昇期に最小の輝度上昇量ΔＬｕを確保するための制御フローである。
【図１５】下降期に最小の輝度下降量ΔＬｄを確保するための制御フローである。
【図１６】図８のステップＳ４の上昇時間Ｔｕを計算する変形フローである。
【図１７】図８のステップＳ７の下降時間Ｔｄを計算する変形フローである。
【図１８】図８のステップＳ４の上昇時間Ｔｕを計算する変形フローである。
【図１９】図８のステップＳ７の下降時間Ｔｄを計算する変形フローである。
【考案を実施するための形態】
【００２４】
以下、本考案に係るＬＥＤ点灯装置の実施の形態を図面を参照しながら説明する。本考案のＬＥＤ点灯装置は、蝋燭の代わりに行灯、提灯、蝋燭の炎形状ガラス管等の中に置いて点灯させて使用するもので、外部からみると蝋燭が燃えているように見える光を放つＬＥＤ使用の点灯装置である。図１は、行灯１の中にＬＥＤ点灯装置２を蝋燭の代わりに載置して使用している状態の一部破断図である。
【００２５】
図２は、ＬＥＤ点灯装置２の構造を斜視図で示したものである。ＬＥＤ点灯装置２は、プリント配線基板３、拡散体４、それらを支持するケース５を備えて構成されている。ケース５は直方体形状で非透光性の材料で形成されている。図２では、その側壁を透視で描いてある。
【００２６】
配線基板３はケース５内に水平に支持されている。配線基板３の上面には図３に示すようにＩＣ８が取り付けてある。そのＩＣ８の表面には赤色、緑色、青色、アンバー色の各色を発光する４個のＬＥＤ７ａ、７ｂ、７ｃ、７ｄが四角状に表面配置してある。それら４個のＬＥＤ７を駆動する駆動回路は配線基板３の下面に取り付けてある。駆動電源は、外部より図示しないリード線で配線基板３に供給しているが、ケース５内の下部空間に乾電池を搭載して供給してもよい。
【００２７】
拡散体４は、４個のＬＥＤ７が発した光を混合して行灯、提灯等の内側に拡散させるためのもので、半透明又は光屈折率が均等でないアクリル又はガラスを用いて円柱状に形成してある。円柱はケース５の上面を貫通させ、その下面中心を４個のＬＥＤ７の四角状配置中心から僅かな距離だけ離して取り付けてある。なお、拡散体４の形状は円柱に代えて図４に示すような球６にしてもよい。こうすれば円柱にしたときとは異なる趣の光の揺らぎを実現することができる。
【００２８】
図５は４個のＬＥＤ７ａ〜７ｄの駆動回路の構成図である。各ＬＥＤ７ａ〜７ｄは、それぞれトランジスタ９ａ〜９ｄと抵抗１０ａ〜１０ｂに直列接続されてプラス電源＋Ｖと接地との間に接続されている。トランジスタ９ａ〜９ｄの各ゲートはマイクロコンピュータ１１の出力信号で駆動されるようになっており、各トランジスタ９ａ〜９ｄはマイクロコンピュータ１１からの信号によりＯＮ／ＯＦＦ動作する。これにより各トランジスタ９ａ〜９ｄを流れる電流がＯＮ／ＯＦＦ制御され、各ＬＥＤ７ａ〜７ｄが点灯／消灯を行なう。各トランジスタ９ａ〜９ｄの発光輝度は繰り返しの短い単位時間（例えば、１ｍｓｅｃ)内における点灯時間と消灯時間の比率を変えるパルス幅制御方式で行なっている。
【００２９】
マイクロコンピュータ１１はソフトウェアによる制御ロジックにより４個のＬＥＤ７を独立に点灯制御し、その発光輝度を独立に変化させる。各トランジスタ９ａ〜９ｄを制御するソフトウェアは、使用する制御定数の値が異なるのみで制御ロジックは同じである。図６は４個のＬＥＤ７の制御の結果としての各ＬＥＤ７ａ〜７ｄの発光輝度（発光強度)の時間変化の一例である。図６で分かるように各ＬＥＤ７は発光輝度の上昇期とそれに続く下降期とを１周期として輝度の上昇、下降を繰り返す。各周期における発光輝度の最高値と最低値は各周期で異ならせており一定ではない。また、１周期中における発光輝度の上昇期と下降期の時間も一定ではなく各周期で異ならせている。
【００３０】
次に、ソフトウェアによる制御ロジックについてフローチャートを参照して説明する。それに先立ち、説明の中で使用する言葉の定義と意味を図７を参照して説明する。発光輝度が上昇する期間を上昇期、下降する期間を下降期と呼び、上昇開始から下降終了までの期間を１周期とする。上昇開始時の発光輝度を上昇開始時輝度Ｌui、上昇終了時の発光輝度を上昇期末輝度Ｌmax、下降終了時の発光輝度を下降期末輝度Ｌmin、下降開始時の発光輝度を下降開始時輝度Ｌdiとする。下降開始時輝度Ｌdiは上昇期末輝度Ｌmaxに等しい。発光輝度Ｌは予め定めた平均輝度Ｌｍを中心とする輝度幅Δｗ以内の範囲に入るように制御する。従って、許容最高輝度ＡＬmaxの値は（Ｌｍ＋１／２・Δｗ)、許容最低輝度ＡＬminの値は（Ｌｍ−１／２・Δｗ) となっている。また、上昇期の継続時間を上昇時間Ｌｕ、下降期の継続時間を下降時間Ｌｄとし、その時間は共に予め定めた平均時間Ｔｍを中心とする時間幅Δｔ以内に入るように制御する。従って、許される最短継続時間を許容最短時間ＡＴminとするとその値は（Ｔm−１／２・Δｔ)、許される最長継続時間を許容最長時間ＡＴmaxとするとその値は（Ｔm＋１／２・Δｔ)となっている。
【００３１】
各ＬＥＤ７ａ〜７ｄの制御ロジックは同じであるので１個のＬＥＤについての制御ロジックを説明する。図８は全体の処理の流れを示すゼネラルフローである。ステップＳ１、Ｓ２はイニシャル処理、ステップＳ３〜Ｓ８が実際の制御を行なう処理部分である。ステップＳ１では、図７に示した許容最高輝度ＡＬmax、許容最低輝度ＡＬmin、許容最短時間ＡＴminの値を事前に計算している。これは後のフローの中で度々使用するからである。本実施形態では、発光輝度Ｌを平均輝度Ｌｍを中心とする輝度幅Δｗ内の値に制御する。従って、これらの値は次式により計算される。
許容最高輝度ＡＬmax＝Ｌｍ＋１／２・Δｗ
許容最低輝度ＡＬmin＝Ｌｍ−１／２・Δｗ
また、上昇時間Ｔｕ、下降時間Ｔｄは共に平均時間Ｔｍを中心とする時間幅Δｔ内の値に制御する。従って、許容最短時間ＡＴminは次式により計算される。
許容最短時間ＡＴmin＝Ｔｍ−１／２・Δｔ
【００３２】
ステップＳ２では、最初の１周期における上昇期開始時輝度Ｌuiの値として予め定めた平均輝度Ｌｍを設定する。
【００３３】
発光輝度変化の１周期は図７に示すように上昇期とそれに続く下降期とからなる。ステップＳ１では、その周期の上昇期末輝度Ｌmaxの値を計算して決定する。その計算処理はサブルーチンで処理され、その処理フローは後述する。ステップＳ４では上昇期の上昇時間Ｔｕを計算して決定する。これもサブルーチンで処理される。これらの計算は直前の下降期の終了直後に行なう。
【００３４】
ステップＳ５ではステップＳ３、Ｓ４での計算結果に従ってＬＥＤの発光輝度を実際に変化させる。輝度変化は図７の上昇期波形に示すように上昇時間Ｔｕの間に上昇期開始時輝度Ｌuiから上昇期末輝度Ｌmaxまで直線的に上昇させる。この発光輝度の変化はＬＥＤに電流を流す時間をパルス幅制御して行なう。本実施形態ではパルス幅制御の基本周期を１ｍｓｅｃとし、その間においてトランジスタ９を導通させてＬＥＤに電流を流す時間をそのときの目標とする発光輝度に比例させている。
【００３５】
ステップＳ６では下降期の下降期末輝度Ｌminの値を計算して決定する。ステップＳ７では下降期の下降時間Ｔｄを計算して決定する。これらの計算は上昇期の終了直後に行なう。ステップＳ８ではステップＳ３、Ｓ４での計算結果に従ってＬＥＤの発光輝度を実際に変化させる。輝度変化は図７の下降期波形に示すように下降時間Ｔｄの間に下降開始時輝度Ｌdi（上昇期末輝度Ｌmaxに等しい。)から下降期末輝度Ｌminまで直線的に下降させる。制御はステップＳ５と同じくＬＥＤに電流を流す時間をパルス幅制御して行なう。
【００３６】
下降期末輝度Ｌminまで発光輝度を減少させる制御が終了したならば、ステップＳ３に戻り、次の周期の計算と制御に移る。このような処理の繰り返しによりＬＥＤの発光輝度は図６に示したように不規則な上昇と下降を繰り返す。
次に、サブルーチンで示したステップＳ３、Ｓ４、Ｓ６、Ｓ７の計算処理の詳細を実施形態に分けて説明する。
【００３７】
（第１の実施形態)
図９はステップＳ３の上昇期末輝度Ｌmaxを計算するフロー、図１０はステップＳ６の下降期末輝度Ｌminを計算するフロー、図１１はステップＳ４の上昇時間Ｔｕを計算するフロー、図１２はステップＳ７の下降時間Ｔｄを計算するフローである。
【００３８】
最初に図９に示す上昇期末輝度Ｌmaxを計算するフローについて説明する。本考案の各実施形態では上昇期末輝度Ｌmaxの値を一定とせず、乱数を用いてランダムな変化を与えている。これはＬＥＤの発する光の変化を蝋燭の炎の変化に似せるためである。具体的には、上昇期末輝度Ｌmaxを乱数を用いて許容最高輝度ＡＬmaxを超えない範囲の値に決定している。
【００３９】
最初のステップＡ１では許容される最大の輝度上昇量ΔＬumaxの値を次式で計算する。  ΔＬumax＝許容最高輝度ＡＬmax−上昇開始時輝度Ｌui 
上昇開始時輝度Ｌuiの値は直前の下降期の下降期末輝度Ｌminに等しい。
【００４０】
続くステップＡ２では０〜１００の範囲に入る乱数Ｒを発生させる。ステップＡ３ではこれらの値を用いて次式により上昇期末輝度Ｌmaxの値を決定する。
Ｌmax＝Ｌui＋ΔＬumax・Ｒ／１００
この式で計算される上昇期末輝度Ｌmaxの最大値は許容最高輝度ＡＬmax、最小値は上昇開始時輝度Ｌuiである。上昇期末輝度Ｌmaxの値としてはその範囲の数値が乱数Ｒにより決定される。乱数Ｒを用いて決定しているため各周期の上昇期末輝度Ｌmaxはランダムに変化した値になる。
【００４１】
図１０に示す下降期末輝度Ｌminを決定するロジックも同様の考えによる。最初のステップＢ１では、許容される最大の輝度降下量ΔＬdmaxの値を次式で計算する。
ΔＬdmax＝下降開始時輝度Ｌdi−許容最低輝度ＡＬmin 
下降開始時輝度Ｌdiの値は直前の上昇期の上昇期末輝度Ｌmaxに等しい。
【００４２】
続くステップＢ２では０〜１００の範囲に入る乱数Ｒを発生させる。ステップＢ３ではこれらの値を用いて次式により下降期末輝度Ｌminの値を決定する。
Ｌmin＝Ｌdi−ΔＬdmax・Ｒ／１００
この式で計算される下降期末輝度Ｌminの最小値は許容最低輝度ＡＬmin、最大値は下降開始時輝度Ｌdiである。下降期末輝度Ｌminの値としてはその範囲の数値が乱数Ｒにより決定される。乱数Ｒを用いて決定しているため各周期の下降期末輝度Ｌminはランダムに変化した値になる。
【００４３】
次に、図１１に示す上昇時間Ｔｕを計算するフローについて説明する。上昇時間Ｔｕは予め定めた平均時間Ｔｍを中心とする時間幅Δｔの範囲に入るように、これも乱数Ｒを用いてランダムに決定する。最初のステップＣ１では−５０〜５０の範囲に入る乱数Ｒを発生させる。続くステップＣ２では、その値を用いて次式により上昇時間Ｔｕの値を決定する。
Ｔｕ＝Ｔm＋１／２・Δｔ・Ｒ／５０
この式で計算される上昇時間Ｔｕの最小値は許容最短時間ＡＴmin（Ｔｍ−１／２・Δｔに等しい。)、最大値は許容最長時間ＡＴmax（Ｔｍ＋１／２・Δｔに等しい。)である。上昇時間Ｔｕの値としてはその範囲の数値が乱数Ｒにより決定される。乱数Ｒを用いて決定しているため各周期の上昇時間Ｔｕはランダムに変化した値になる。
【００４４】
図１２に示す下降時間Ｔｄを計算するロジックも同様に予め定めた平均時間Ｔｍを中心とする時間幅Δｔの範囲に入るように乱数Ｒを用いてランダムに決定する。最初のステップＤ１では−５０〜５０の範囲に入る乱数Ｒを発生させる。続くステップＤ２では、その値を用いて次式により下降時間Ｔｄの値を決定する。
Ｔｄ＝Ｔm＋１／２・Δｔ・Ｒ／５０
この式で計算される下降時間Ｔｄの最小値は許容最短時間ＡＴmin、最大値は許容最長時間ＡＴmaxである。下降時間Ｔｄの値としてはその範囲の数値が乱数Ｒにより決定される。乱数Ｒを用いて決定しているため各周期の下降時間Ｔｄはランダムに変化した値になる。
【００４５】
このように本実施形態では上昇期末輝度Ｌmax、下降期末輝度Ｌminの値を毎周期ランダムに決定すると同時に上昇時間Ｔｕ、下降時間Ｔｄも毎周期ランダムに決定する。これらの計算による決定は４個のＬＥＤについて独立して実行される。従って、４個のＬＥＤの発光輝度は周期も振幅も一致しない変化を呈する。
【００４６】
図６は、このように制御した４個のＬＥＤの発光輝度変化の一例である。赤色、緑色、青色の発光輝度は、それらの光を混合した光の色が略黄色になるようにする。図６では赤色、緑色、青色の３色の各平均輝度Ｌｍの比率を７０：５０：２０に設定してある。これにより各ＬＥＤがその平均輝度Ｌｍで発光した場合の混合色は略黄色になる。
【００４７】
本物の蝋燭の炎の光は略黄色とアンバー色との間で色相が変化する。この略黄色とアンバー色との間で変化する色相を赤色、緑色、青色を発光する３個のＬＥＤの光を混合して作りだし、且つその発光強度も変化させることは容易ではない。理論的には可能でも、それを実現するには複雑な計算を必要とする。本実施形態では、赤色、緑色、青色を発する３個のＬＥＤに加えてアンバー色を発光する４個目のＬＥＤを採用している。そして、前述したように３個のＬＥＤによる混合色を略黄色にさせ、その混合された略黄色と４個目のＬＥＤが発するアンバー色とを混合する。３個のＬＥＤによる混合色自体も色相を狭い範囲でランダムに変化させている。こうした４色を混合することにより略黄色とアンバー色との間で色相がランダムに変化する光を作りだしている。この方法の場合は、３個のＬＥＤには黄色を中心とする狭い範囲の色相の光を発光させればよい。従って、そのための３個のＬＥＤの発光輝度は、平均輝度Ｌｍを中心とする狭い範囲で独立してランダムに変化させるという簡単な計算で決定することができる。
【００４８】
図６に示した例では、上記の発光輝度のランダムな変化に加えて、３個のＬＥＤによる混合色の明暗変化の平均周期とアンバー色の明暗変化の平均周期とを異ならせている。図６の例では、アンバー色の明暗変化の平均周期を混合色の明暗変化の平均周期の約１／２に設定している。即ち、アンバー色の明暗変化速度を混合色の明暗変化速度の約２倍にして激しく変化させている。このような制御により４色の混合色は激しい明暗とゆっくりした明暗が混じり合い、且つ、色相も変化する色となる。その結果、全体として実際の蝋燭が揺らめいて点灯しているような照明が得られる。
【００４９】
（第２の実施形態)
本実施形態は、第１の実施形態における下降期末輝度Ｌminを決定するステップＳ６の計算方法に変更を加えたものである。その他のステップＳ３、Ｓ４、Ｓ７の計算法は同じである。図１３はその下降期末輝度Ｌminを決定するフローである。このフローのロジックは、下降期の輝度下降量ΔＬｄを直前の上昇期における輝度上昇量ΔＬｕを中心とする所定幅内の値にランダムに決定するようになっている。このような考えを採用したのは、照明装置であるので明るさが急激に低下したり、急上昇した輝度があまり低下せずに継続したりするのを防止して自然な明暗変化に近づけるためである。
【００５０】
最初のステップＥ１では、直前の上昇期における輝度上昇量ΔＬｕを直前の上昇期の上昇期末輝度Ｌmaxと上昇開始時輝度Ｌuiとから次式で計算する。
ΔＬｕ＝Ｌmax−Ｌui
【００５１】
続くステップＥ２では−５０〜５０の範囲に入る乱数Ｒを発生させる。ステップＥ３では、次式で計算される下降後輝度Ｘを求める。式中のＰは予め定めた１以下の正数値で、例えば０．２である。
Ｘ＝Ｌdi−（ΔＬｕ＋Ｐ・Ｌｍ・Ｒ／５０)
右辺第２項は下降期の輝度下降量であり、上昇期の輝度上昇量ΔＬｕを中心として平均輝度ＬｍにＰを掛けた値の範囲内にランダムに入る数値である。即ち、上昇期の輝度上昇量ΔＬｕに近いランダムな数値である。下降開始時輝度Ｌdiからその値を引いた値Ｘは、その場合における下降後輝度を表わす。その最低値は（Ｌdi−ΔＬｕ−Ｐ・Ｌｍ)、最高値は（Ｌdi−ΔＬｕ＋Ｐ・Ｌｍ)である。
【００５２】
ステップＥ４〜Ｅ６は、前記計算で求めた下降後輝度Ｘと許容最低輝度ＡＬminの２つの値のうち、高い方の値を下降期末輝度Ｌminとして決定するフローである。
【００５３】
本実施形態のように下降期末輝度Ｌminを決定すれば、明るさが急激に低下したり、急上昇した輝度があまり低下せずに継続したりする不自然な明暗変化をなくすことができ、蝋燭の炎の自然な明暗変化に近づけることができる。
【００５４】
（第３の実施形態)
本実施形態は図８のステップＳ３、Ｓ６にて求めた上昇期末輝度Ｌmax、下降期末輝度Ｌminの値から計算した上昇期の輝度上昇量ΔＬｕ、下降期の輝度下降量ΔＬｄの値が所定値より小さかった場合には、その所定値だけは上昇、下降させて発光輝度を変化させようとするものである。図１４は上昇期の輝度についてそのような処理を行なうためのフローである。このフローは図８のステップＳ３とＳ４の間に追加して実行される。
【００５５】
図１４のステップＦ１では、上昇期の輝度上昇量ΔＬｕをステップＳ３で計算した上昇期末輝度Ｌmaxと上昇開始時輝度Ｌuiとから次式で計算する。
ΔＬｕ＝Ｌmax−Ｌui
【００５６】
ステップＦ２では、求めた輝度上昇量ΔＬｕの値を前記所定値である輝度最小上昇量ΔＬuminと比較する。輝度上昇量ΔＬｕの値が輝度最小上昇量ΔＬuminより小さかった場合は上昇開始時輝度Ｌuiに輝度最小上昇量ΔＬuminを加えた値でもって上昇期末輝度Ｌmaxを置き換える（ステップＦ３)。輝度上昇量ΔＬｕの値が輝度最小上昇量ΔＬuminより大きかった場合は上昇期末輝度Ｌmaxに変更を加えない。
【００５７】
ステップＦ４、Ｆ５は、このようにして算出した上昇期末輝度Ｌmaxの値を許容最高輝度ＡＬmaxと比較し、低い方の値を上昇期末輝度Ｌmaxとして最終決定する処理フローである。
【００５８】
図１５は、同じような処理を下降期の輝度について行なうフローである。このフローは図８のステップＳ６とＳ７の間に追加して実行される。図１５のステップＧ１では、下降期の輝度下降量ΔＬｄをステップＳ６にて計算した下降期末輝度Ｌminと下降開始時輝度Ｌdiとから次式で計算する。
ΔＬｄ＝Ｌdi−Ｌmin
【００５９】
ステップＧ２では、求めた輝度下降量ΔＬｄの値を輝度最小下降量ΔＬdminと比較する。輝度下降量ΔＬｄの値が輝度最小下降量ΔＬdminより小さかった場合は下降開始時輝度Ｌdiから輝度最小下降量ΔＬdminを引いた値で下降期末輝度Ｌminを置き換える（ステップＧ３)。輝度下降量ΔＬｄの値が輝度最小下降量ΔＬdminより大きかった場合は下降期末輝度Ｌminに変更を加えない。
【００６０】
ステップＧ４、Ｇ５は、このようにして算出した下降期末輝度Ｌminの値を許容最低輝度ＡＬminと比較し、高い方の値を下降期末輝度Ｌminとして最終決定する処理フローである。
【００６１】
（第４の実施形態)
本実施形態は、第１の実施形態で説明した上昇期の上昇時間Ｔｕ、下降期の下降時間Ｔｄの決定の仕方についての変形実施形態である。本実施形態では、上昇期の上昇時間Ｔｕについてはそれに先立って決定した上昇期の輝度上昇量ΔＬｕの値を考慮して決定し、下降期の下降時間Ｔｄについてはそれに先立って決定した下降期の輝度下降量ΔＬｄの値を考慮して決定する。そして輝度上昇量ΔＬｕ、輝度下降量ΔＬｄの値が大きい程、即ち、輝度変化が大きい程、上昇時間Ｔｕ、下降時間Ｔｄを短くするようにしている。これは、明暗変化が短調になるのを防止すると同時に、ある程度は規則性ももたせて実際の蝋燭の明暗変化に近づけるための配慮である。
【００６２】
図１６はその上昇時間Ｔｕを決定するフローであり、図８のフローにおけるステップＳ４の処理の詳細である。最初のステップＨ１では図１４のステップＦ１と同様にして輝度上昇量ΔＬｕの値を算出する。ステップＨ２では、図８のステップＳ１で計算しておいた許容最短時間ＡＴmin、平均輝度Ｌｍを中心とする所定の輝度幅Δｗ、平均時間Ｔｍを中心とする所定の時間幅Δｔの数値を用い、次式で上昇時間Ｔｕを算出して決定する。
Ｔｕ＝ＡＴmin＋Δｔ・（Δｗ−ΔＬｕ)／Δｗ
【００６３】
この式で計算される上昇時間Ｔｕの最短時間は輝度上昇量ΔＬｕの値が輝度幅Δｗに等しい場合の値で、その値は許容最短時間ＡＴminとなる。最長時間は輝度上昇量ΔＬｕの値がゼロの場合の（ＡＴmin＋Δｔ)で、これは許容最長時間ＡＴmaxに等しい。そして輝度上昇量ΔＬｕが輝度幅Δｗの１／２に等しいときに上昇時間Ｔｕは平均時間Ｔｍに等しくなる。上昇時間Ｔｕは輝度上昇量ΔＬｕの値により許容最短時間ＡＴminと許容最長時間ＡＴmaxの間の値に決まり、輝度上昇量ΔＬｕが大きいときは短く、小さいときは長く決定される。
【００６４】
図１７は同じ考えにより下降時間Ｔｄを決定するフローであり、図８のフローにおけるステップＳ７の処理の詳細である。最初のステップＪ１では図１５のステップＧ１と同様にして輝度下降量ΔＬｄの値を算出する。ステップＪ２では、図８のステップＳ１で計算しておいた許容最短時間ＡＴmin、平均輝度Ｌｍを中心とする所定の輝度幅Δｗ、平均時間Ｔｍを中心とする所定の時間幅Δｔの数値を用い、次式で下降時間Ｔｄを算出して決定する。
Ｔｄ＝ＡＴmin＋Δｔ・（Δｗ−ΔＬｄ)／Δｗ
【００６５】
この式で計算される下降時間Ｔｄの最短時間は輝度下降量ΔＬｄの値が輝度幅Δｗに等しい場合の値で、その値は許容最短時間ＡＴminとなる。最長時間は輝度下降量ΔＬｄの値がゼロの場合の（ＡＴmin＋Δｔ)で、これは許容最長時間ＡＴmaxに等しい。そして輝度下降量ΔＬｄが輝度幅Δｗの１／２に等しいときに下降時間Ｔｄは平均時間Ｔｍに等しくなる。下降時間Ｔｄは輝度下降量ΔＬｄの値により許容最短時間ＡＴminと許容最長時間ＡＴmaxの間の値に決まり、輝度下降量ΔＬｄが大きいときは短く、小さいときは長く決定される。
【００６６】
（第５の実施形態)
本実施形態は、第４の実施形態に更に変形を加えた実施形態である。第４の実施形態では輝度上昇量ΔＬｕ、輝度下降量ΔＬｄの値により上昇期の上昇時間Ｔｕ、下降期の下降時間Ｔｄに変化を与えた。これに対して本実施形態では、輝度上昇量ΔＬｕ、輝度下降量ΔＬｄによる変化に加えて乱数による変化分を加算して上昇時間Ｔｕ、下降時間Ｔｄの値を決定している。これもランダムな要素を追加することにより明暗変化が短調になることを防止して実際の蝋燭の明暗変化に近づけるための配慮である。
【００６７】
図１８はそのような考えにより上昇時間Ｔｕを決定するフローであり、図８のステップＳ４の処理の詳細である。最初のステップＫ１では図１６のステップＨ１と同様にして輝度上昇量ΔＬｕの値を算出する。続くステップＫ２では０〜１００の範囲の乱数Ｒを発生させる。ステップＫ３ではその乱数Ｒと、図８のステップＳ１で計算しておいた許容最短時間ＡＴmin、平均輝度Ｌｍを中心とする所定の輝度幅Δｗ、平均時間Ｔｍを中心とする所定の時間幅Δｔの数値を用い、次式で上昇時間Ｔｕを算出して決定する。
Ｔｕ＝ＡＴmin＋１／２・Δｔ・（Ｒ／１００＋（Δｗ−ΔＬｕ))／Δｗ
【００６８】
この式で計算される上昇時間Ｔｕの最短時間は、輝度上昇量ΔＬｕが輝度幅Δｗに等しく乱数Ｒがゼロの時の値で、その値は許容最短時間ＡＴminとなる。最長時間は、輝度上昇量ΔＬｕがゼロで乱数Ｒが１００の時の値で、その値は（ＡＴmax＋Δｔ)となり許容最長時間ＡＴmaxに等しい。そして輝度上昇量ΔＬｕが輝度幅Δｗの１／２に等しく、乱数Ｒが５０のとき上昇時間Ｔｕは平均時間Ｔｍに等しくなる。上昇時間Ｔｕは輝度上昇量ΔＬｕと乱数Ｒの値により許容最短時間ＡＴminと許容最長時間ＡＴmaxの間の値にランダムに決定される。
【００６９】
図１９は同じ考えにより下降時間Ｔｄを決定するフローであり、図８のステップＳ７の処理の詳細である。最初のステップＬ１では図１７のステップＪ１と同様にして輝度下降量ΔＬｄの値を算出する。続くステップＬ２では０〜１００の範囲の乱数Ｒを発生させる。ステップＬ３では、その乱数Ｒと、図８のステップＳ１で計算しておいた許容最短時間ＡＴmin、平均輝度Ｌｍを中心とする所定の輝度幅Δｗ、平均時間Ｔｍを中心とする所定の時間幅Δｔの数値を用い、次式で下降時間Ｔｄを算出して決定する。
Ｔｄ＝ＡＴmin＋１／２・Δｔ・（Ｒ／１００＋（Δｗ−ΔＬｄ))／Δｗ
【００７０】
この式で計算される下降時間Ｔｄの最短時間は輝度下降量ΔＬｄが輝度幅Δｗに等しく乱数Ｒがゼロの時の値で、その値は許容最短時間ＡＴminとなる。最長時間は輝度下降量ΔＬｄがゼロで乱数Ｒが１００の時の値で、その値は（ＡＴmax＋Δｔ)となり許容最長時間ＡＴmaxに等しい。そして輝度下降量ΔＬｄが輝度幅Δｗの１／２に等しく、乱数Ｒが５０のとき下降時間Ｔｄは平均時間Ｔｍに等しくなる。下降時間Ｔｄは輝度下降量ΔＬｄと乱数Ｒの値により許容最短時間ＡＴminと許容最長時間ＡＴmaxの間の値にランダムに決定される。
【符号の説明】
【００７１】
図面中、１は行灯、２はＬＥＤ点灯装置、３は配線基板、４は円柱状の拡散体、５はケース、６は球状の拡散体、７ａ、７ｂ、７ｃ、７ｄはＬＥＤ、８はＩＣを示す。
【図１】
0003149477.tif 000003
【図２】
0003149477.tif 000004
【図３】
0003149477.tif 000005
【図４】
0003149477.tif 000006
【図５】
0003149477.tif 000007
【図６】
0003149477.tif 000008
【図７】
0003149477.tif 000009
【図８】
0003149477.tif 000010
【図９】
0003149477.tif 000011
【図１０】
0003149477.tif 000012
【図１１】
0003149477.tif 000013
【図１２】
0003149477.tif 000014
【図１３】
0003149477.tif 000015
【図１４】
0003149477.tif 000016
【図１５】
0003149477.tif 000017
【図１６】
0003149477.tif 000018
【図１７】
0003149477.tif 000019
【図１８】
0003149477.tif 000020
【図１９】
0003149477.tif 000021